(57)【要約】【課題】簡単な操作で容易に二種類の媒体を混合させることができ、また充填作業も容易に行うことができる混合容器を提供すること。【解決手段】上部に開口20ａを有し内部に第一媒体Ａを収納するボトル20と、開口20ａから入り込むように形成された第二媒体Ｂを収納する収納部31が、内面に構成されるキャップ30と、収納部31下部の開口31ａを封止する中蓋40と、上部がボトル20上部の開口20ａに外嵌し、下部が中蓋40の上面と当接するように配設される中栓50と、を有することを特徴とする混合容器10。【選択図】  図１
2006321542.tif 000002
【特許請求の範囲】
【請求項１】
上部に開口を有し内部に第一媒体を収納するボトルと、
前記開口から入り込むように形成された第二媒体を収納する収納部が、内面に構成されるキャップと、
前記収納部下部の開口を封止する中蓋と、
上部が前記ボトル上部の開口に外嵌し、下部が前記中蓋の上面と当接するように配設される中栓と、を有することを特徴とする混合容器。
【発明の詳細な説明】
【技術分野】
【０００１】
本発明は、１個の容器に対して別々に収納した複数種類の溶剤や溶液等を、簡単な操作で混合させ得る混合容器に関する。
【背景技術】
【０００２】
従来、一体的な容器の中に、２つの異なる媒体を別々の収納部に封入し、一定の操作を行うことで２つの異なる媒体を混合させる混合容器がある。
【０００３】
そのような混合容器の例として、１個の容器に並列して２個のカプセルを収納し、それら各々の上部開口に封緘キャップを嵌着し、該封緘キャップを上部に配置した突落とし棒にて落下させて前記上部開口を開封するものがある（例えば、特許文献１参照）。
【０００４】
また、円筒状の仕切り部によって中央収納部と周辺収納部として２つの収納部に分割され、並列に配置された容器の上部開口部をアルミ箔シールで封止し、該アルミ箔シールを上部に配置した切刃にて切断し、２つの収納部に収納される２液を混合させ得る状態にするものがある（例えば、特許文献２参照）。
【０００５】
【特許文献１】実開平５−８６８３２
【特許文献２】実開平５−８６８３４
【発明の開示】
【発明が解決しようとする課題】
【０００６】
しかしながら上述の特許文献のように、２つの収納部が予め並列で一体的に配置されていると、媒体の充填時において手間がかかる。例えば、異なる媒体を順次充填する場合、媒体を片方の収納部に充填している場合には、他方の収納部に充填することが困難である。また、両方の媒体を同時に充填する場合には、特別な充填設備を作らなくてはならない場合もある。
【０００７】
また、上述のような構成であると、２液を混合させるためには、開封作業をした後、さらに容器を振るなどの操作をする必要がある。このため、２液を混合させるために手間がかかっていた。
【０００８】
そこで本発明は、簡単な操作で容易に二種類の媒体を混合させることができ、また充填作業も容易に行うことができる混合容器を提供することを目的とする。
【課題を解決するための手段】
【０００９】
上記目的を達成するための本発明に係る混合容器の構成は、上部に開口を有し内部に第一媒体を収納するボトルと、前記開口から入り込むように形成された第二媒体を収納する収納部が、内面に構成されるキャップと、前記収納部下部の開口を封止する中蓋と、上部が前記ボトル上部の開口に外嵌し、下部が前記中蓋の上面と当接するように配設される中栓と、を有することを特徴とする。
【発明の効果】
【００１０】
前述の構成のように、本発明の混合容器は、中栓がボトルの上部開口に外嵌された状態で、収納部を封止する中蓋に対して当接している。このため、使用者がキャップの螺合を解除するためにキャップを回しながら上昇させると、キャップの収納部に嵌合されている中蓋も上昇しようとする。ここで、中栓は中蓋に対して上部から当接しているが、同時にボトルの上部開口に外嵌されているため移動しない。このため、中栓が中蓋を相対的に押し下げることとなり、中蓋が収納部の下部開口から外れ、収納部の封止を解除する。そして、中蓋と共に収納部に収納されていた第二媒体が、ボトル内に落下する。この結果、落下した第二媒体とボトル内の第一媒体とが混合することとなる。このように、キャップを回して外すという、使用者にとっては当然且つ簡単な操作で、二種類の媒体を容易に混合させることができる。
【００１１】
また、キャップには下部開口が配設される収納部があるが、第二媒体を収納部に充填する際には、キャップを裏返してボトルから外した状態で充填作業を行う。一方、第一媒体はボトルの上部開口から充填する。ここで、媒体の充填作業時には、ボトルとキャップはそれぞれ分離した状態である。このため、第一媒体と第二媒体とは別々の工程で充填を行うことができるため、充填作業も容易に行うことができる。
【発明を実施するための最良の形態】
【００１２】
図を用いて本発明の一実施形態を説明する。説明においては、混合容器10の構成、混合容器10の使用方法、混合容器10の生産工程、の順で説明し、最後に作用効果を述べる。
【００１３】
（混合容器10の構成）
混合容器10の概略構成を説明する。図１は混合容器10の概略構成を説明する断面図である。
【００１４】
図１に示すように、本実施形態に係る混合容器10は、内部に第一媒体Ａを収納するボトル20と、ボトル20上部の開口20ａから入り込むように形成され第二媒体Ｂを収納する収納部31が、内面に構成されるキャップ30と、収納部31下部の開口31ａ（図３（ａ）参照）を封止する中蓋40と、上部がボトル20上部の開口20ａに外嵌し、下部が中蓋40の上面と当接するように配設される中栓50とを有する。次に各部の詳細な構成を、図１と図２乃至図４とを適宜用いて説明する。
【００１５】
ボトル20は、上部に開口20ａ（図４（ａ）参照）を有し、内部に第一媒体Ａを収納する収納部21を有する。また、第一媒体Ａの収納部21の上部の外側には、キャップ30が螺合するためのネジ部20ｂが形成されている。
【００１６】
キャップ30の内面には、ボトル20のネジ部20ｂと螺合するためのネジ部30ａが形成される。また、キャップ30には、下部に開口31ａを有するような収納部31が形成される。収納部31は、例えば円筒状のように、中空に構成される。また、収納部31の下部の開口31ａは中蓋40によって封止される。
【００１７】
このため、収納部31内部には、第二媒体Ｂが収納される。また、収納部31の外周の径は、ボトル20の開口20ａの径よりも小さく構成されている。このため、混合容器10の使用前の状態において、収納部31は上述のようにボトル20の開口20ａからボトル20に入り込み、収納部21の上方で保持される。
【００１８】
中蓋40は、収納部31の内壁31ｂにちょうど嵌まり込むような形状に構成された凸部41と、凸部41の下部に一体的に構成される封止面42とを有する。このため、中蓋40の凸部41は、収納部31の内周面31ｂに嵌まり込み、収納部31の下部の開口31ａを封止することとなる。
【００１９】
中栓50は、中空の部材である。当該中空の内周面50ａの形状は、収納部31の外周面31ｃと同じ形状に形成される。このため、収納部31の外周に対して嵌合させることができる。また、中栓50の上部には、ボトル20の開口20ａを形成する上縁部20ｃ（図４（ｂ）参照）に係止するための係止部51が形成される。一方、中栓50の下部は、中蓋40の封止面42の上面と当接する当接部52となっている（図３（ａ）参照）。
【００２０】
（混合容器10の使用方法）
以上のような構成をした混合容器10の使用方法を説明する。図２は混合容器10の使用状態の説明図である。
【００２１】
図２（ａ）に示すように、使用前の混合容器10は、ボトル20の収納部21に第一媒体Ａが収納され、キャップ30の収納部31に第二媒体Ｂが収納され、各媒体は分離された状態にある。
【００２２】
図２（ｂ）に示すように、使用者がキャップ30を開けるため、螺合されているキャップ30を回すと、キャップ30は上昇する。キャップ30が上昇すると、収納部31の内周面31ｂに嵌着されている中蓋40と、収納部31の外周面31ｃに嵌合保持されている中栓50とが同時に上昇しようとする。
【００２３】
ここで、中栓50は、その上部を係止部51にてボトル20上部の開口縁部に係止されている。このため、収納部31の外周面31ｃからの摩擦力に抗して、中栓50はボトル20の開口20ａの位置にて保持される。一方、収納部31と共に上昇しようとする中蓋40は、その封止面42の周縁の上部が中栓50の当接部52と当接している。上述のように中栓50の当接部52は移動しないため、上昇する封止面42の上面は、当接部52によって相対的に押し下げられることになる。
【００２４】
図２（ｃ）に示すように、中蓋40の凸部41の外側面と収納部31の内周面31ｂとの嵌着が外れると、中蓋40は収納部21内に落下する。すると、収納部31の中蓋40による封止が解除され、収納部31に収納されていた第二媒体Ｂは、ボトル20に収納されている第一媒体Ａ内に落下する。これにより、第一媒体Ａと第二媒体Ｂとが収納部21内で混合され、混合媒体Ｃを生成することとなる。
【００２５】
（混合容器10の生産工程）
混合容器10の各部の構成を詳細に説明しつつ、混合容器10の生産工程を説明する。本実施形態の混合容器10の生産工程の概略は次のようなものである。図３はキャップ30に第二媒体Ｂを収納するまでの工程を示す図であり、図４はボトル20に第一媒体Ａを収納し、混合容器10の完成までの工程を示す図である。
【００２６】
まず、キャップ30に第二媒体Ｂを収納するまでの工程を説明する。はじめに、図３（ａ）に示すように、キャップ30と中栓50を用意する。中栓50の内周面50ａは、収納部31の外周面31ｃと略同様の形状で構成されているため、中栓50を収納部31の外周面31ｃに嵌め込むと、キャップ30と中栓50とは一体的な構成となる。
【００２７】
図３（ｂ）に示すように、収納部31の開口31ａが上になるように、キャップ30を裏返した後、図３（ｃ）に示すように、ノズル等の第二媒体供給手段Ｄから第二媒体Ｂを収納部31に供給する。これにより、収納部31内に第二媒体Ｂが充填される。
【００２８】
図３（ｄ）に示すように、収納部31内に第二媒体Ｂが充填された後、中蓋40によって収納部31の開口31ａを覆う。ここで、前述のように、中蓋40の凸部41の外側面は、収納部31の内周面31ｂと略同一の形状である。このため、凸部41は収納部31の内周面31ｂに嵌まり込み、摩擦力により収納部31の内周面31ｂにて保持される。
【００２９】
このように、中蓋40が収納部31に対して嵌着するため、図３（ｅ）に示すように、キャップ30を裏返して収納部31の開口31ａを下に向けても、中蓋40は落下しない。これにより、第二媒体Ｂは収納部31内に中蓋40によって封止され、保持されることとなる。尚、この状態において、中栓50の当接部52は、封止面42の周縁の上部と当接した状態にある。
【００３０】
次に、ボトル20に第一媒体Ａを収納し、混合容器10の完成までの工程を説明する。まず、図４（ａ）に示すように、ボトル20上部の開口20ａから、ノズル等の第一媒体供給手段Ｅによって第一媒体Ａを収納部21に供給する。これにより、収納部21内に第一媒体Ａが充填される。
【００３１】
図４（ｂ）に示すように、キャップ30をボトル20に装着する。装着する過程においては、ボトル20のネジ部20ｂとキャップ30のネジ部30ａとが螺合するようになっている。また、収納部31は、キャップ30内部の略中央に配置される。このため、ネジ部20ｂ、30ａにガイドされつつ、キャップ30を回しながらボトル20に入れると、収納部31がボトル開口20ａの内部に挿入されつつ、キャップ30がボトル20と一体的に構成される。
【００３２】
そして、最後にキャップ30をボトル20に対して押し込むことで、キャップ30内部に構成される中栓50の係止部51が、ボトル開口20ａの上縁部20ｃに対して係止される。
【００３３】
これにより、ボトル20とキャップ30とは完全に一体となり、第二媒体Ｂの収納される収納部31が、第一媒体Ａの収納される収納部21の上方で保持される混合容器10が完成する。
【００３４】
（混合容器10から得られる作用効果）
以上のような構成により、本実施形態の混合容器10には、次のような作用効果がある。
【００３５】
前述のように、第一媒体Ａと第二媒体Ｂとを混合させるためには、キャップ30を回してボトル20から離間させるという通常の使用時と同様の開封動作を行えば、中蓋40が収納部31から離間し、第二媒体Ｂが第一媒体Ａの中に落下する。このように、通常の使用時における開封動作をするのみで、中蓋40が収納部31から離間して落下し、第二媒体Ｂが第一媒体Ａ内に落下し、２つの媒体は自動的に混合する。このため、使用者は混合させるための特別な操作をすることなく、第一媒体Ａと第二媒体Ｂとを混合させることができる。
【００３６】
この結果、たとえ容器表面に混合させるべき表示を付与しなくとも、使用者は無意識に２媒体を混合させることもできる。このように、本実施形態の混合容器10によれば、非常に簡単な操作で２つの媒体を確実かつ容易に混合させることができる。
【００３７】
また、中蓋40が収納部31から落下する際に、その衝撃や下への移動する過程において撹拌する作用もある。これにより、上方に収納していた第二媒体Ｂを、第一媒体Ａ内に満遍なく混合させることができ、媒体がさらに混合し易い。
【００３８】
尚、このような構成であるため、第二媒体Ｂが第一媒体Ａよりも比重が重い場合には、媒体として粉体を用いる場合に特に好適である。即ち、下方の容器に収納する第一媒体Ａを液体とし、第一媒体Ａの上方から落下する第二媒体Ｂを比重の重い粉体とすると、粉体は液体内で落下しつつ分散する。
【００３９】
これに対して、従来のように媒体の収納部が並列に配置される場合であると、たとえ各収納部の封止を解除したとしても、媒体が互いに自動的に混合することはない。また、従来の構成であると、封止の解除後に容器を振る等の操作をしたとしても、媒体同士が十分に混合するには相当の手間がかかる。
【００４０】
また、本実施形態においては、第一媒体Ａを収納するボトル20と、第二媒体Ｂの収納部31を有するキャップ30とは完全な別体であり、各々独立した別の工程において充填作業を行うことができる。従来のように、一体的な容器を仕切ることで２つの異なる収納部を有する構成であると、片方の収納部に媒体を充填する場合には他方の収納部に媒体を充填することができないという不都合があり、両方の収納部に同時に媒体を充填する場合には特殊な充填装置が必要という不都合があった。
【００４１】
本実施形態によれば、ボトル20及びキャップ30は、最後の組立て時において一体となるため、それ以前は別々の工程で媒体Ａ、Ｂを充填することができ、充填作業を容易に行うことができる。また、第一媒体Ａが充填されるボトル20は上部に大きな開口20ａを有し、第二媒体Ｂが充填される収納部31も大きな開口31ａを有する。このため、媒体を容易に充填することができる。
【００４２】
また、本実施形態の収納部31は、中蓋40による嵌着のみによって封止されて保持される。即ち、収納部31を封止するために、接着剤等の他の溶剤等を使用しない構成である。このため、ボトル20内部の第一媒体Ａに、第二媒体Ｂ以外の不純物が混入しないという有利な点もある。
【００４３】
本実施形態の混合容器10の構成部材（ボトル20、キャップ30、中蓋40、中栓50）は、全て一方又は両方に開口を有する簡単な形状の部材で構成されている。このため、これらの構成部材を成形するための型の成形も容易であり、全体的な生産コストを低く抑えることができる。
【００４４】
〔他の実施形態〕
前述の実施形態においては、媒体の種類について、第一媒体Ａを溶液（液体）、第二媒体Ｂを溶剤（粉体）としたが、必ずしもこれに限るものではない。例えば、両方の媒体を溶液とし、液体同士を混合する構成とすることもできる。
【００４５】
前述した実施形態においては、中蓋40の凸部41を収納部31の内周面31ｂに嵌まり込むことで保持したが、これに限るものではない。例えば、図５に示すように、収納部31の外周面31ｃが中蓋60の凸部61の内部に嵌まり込んで収納部31の気密を保つように構成し、中栓50の当接部52を凸部61に当接される長さに構成してもよい。
【産業上の利用可能性】
【００４６】
本発明は、２種類の媒体を混合するもの全体に対して使用することができる。
【図面の簡単な説明】
【００４７】
【図１】混合容器10の概略構成を説明する断面図。
【図２】混合容器10の使用状態の説明図。
【図３】キャップ30に第二媒体Ｂを収納するまでの工程を示す図。
【図４】ボトル20に第一媒体Ａを収納し、混合容器10の完成までの工程を示す図。
【図５】他の実施形態に係る中蓋60を使用した混合容器の説明図。
【符号の説明】
【００４８】
Ａ…第一媒体、Ｂ…第二媒体、Ｄ…第二媒体供給手段、Ｅ…第一媒体供給手段、10…混合容器、20…ボトル、20ａ…開口、20ｂ…ネジ部、20ｃ…上縁部、21…収納部、30…キャップ、30ａ…ネジ部、31…収納部、31ａ…開口、31ｂ…内周面、31ｃ…外周面、40…中蓋、41…凸部、42…封止面、50…中栓、50ａ…内周面、51…係止部、52…当接部
【図１】
2006321542.tif 000003
【図２】
2006321542.tif 000004
【図３】
2006321542.tif 000005
【図４】
2006321542.tif 000006
【図５】
2006321542.tif 000007